(57)【要約】      （修正有）【課題】介護者の付き添いを必要とする方の為に着脱機能とトイレ機能が付いた移動介助車椅子を提供する。【解決手段】椅子の座面は、その外周部を構成する座部６と中央座部１５からなり、座部６は、高さが調節可能とされている。座部６は前後方向または左右方向において、傾斜または段を付ける。通常用中央座部１５は、前後方向または左右方向において、傾斜または段を付け、傾斜または段によって区分された中央座部をつなぎとめておく為の段差対応レール１６を備える。【選択図】図４
0003188085.tif 000002
【実用新案登録請求の範囲】
【請求項１】
移動介助車椅子において、通常用座部をスライドさせ車椅子座部より前に出ないよう後部から交換出来、トイレ用座部と通常用中央座部をスライド式において交換後、段差が入らないように高さも合わせることが出来、通常用中央座部とトイレ用座部を交換する時、体にあたらずに交換するためには、通常用中央座部と座部が上下出来、離脱して通常用中央座部より座部部分を上にあげて体にあたらずに、通常用中央座部を交換出来るようにした移動介助車椅子。
【請求項２】
移動介助車椅子のオマル(簡易便器)は、ガイドレールを通るときにオマルカバー(簡易便器カバー)を使用しても通れるようにオマル(簡易便器)にオマルカバー(簡易便器カバー)がガイドレール底にあたらず固定する事が出来る溝を備えることを特徴とする請求項１記載の移動介助車椅子のオマル(簡易便器)。
【請求項３】
移動介助車椅子の座部部分を、前後・左右、斜めに出来、介助を必要とされている方の着脱介助をする為のスペースを確保する事が出来ます。また前後、左右、上下に段差を付け介助を必要とされている方を介助する為の服と手が入るスペースを確保する事が出来る事を特徴とした請求項１記載の移動介助車椅子。
【請求項４】
通常用中央座部は、段差が前後・左右・上下・出来ます。斜めにも前後、左右、出来ます。より安定出来るように段差対応レールを備える事を特徴とした請求項１記載の移動介助車椅子。
【考案の詳細な説明】
【技術分野】
【０００１】
本項案は介護者また添いを必要とする方の為に着脱機能とトイレ機能が付いた車椅子に関するものである。
【背景技術】
【０００２】
車椅子にトイレ機能が付いて立たずにトイレが使用出来る車椅子は、通常用座部とトイレ用座部の入換えの時入換えた座部が、体に当たったり座部の周りに段差が付いたままである、などという問題点がありました。また車椅子に座ったまま使用する前後も、少しも立たずにズボンや下着などを着脱する時、体に強い摩擦がおきるという問題点がありました。
【考案の概要】
【考案が解決しようとする課題】
【０００３】
車椅子を使用する人にとって外出時の最大の課題はトイレの問題です。トイレ機能が付いている車椅子の最大の課題は、トイレ使用前後にまったく立たずに着脱する事と、トイレ使用前後に、まったく立たずに通常用座部とトイレ用座部の入換えをする時、段差が入ったままの座部ではなく、スライド式において通常用座部と周りの段差も合わせ調節出来る事が求められています。      
【０００４】
車椅子に座っている時にズボンなどを汚して車椅子から少しも立つ事が出来ず、またベッドまでにすることが出来ない比較的狭い場所などで、ズボンや下着だけ着替えなければいけない時などあります。車椅子からまったく立つ事が出来ない方の為に座ったまま容易に着脱出来るようにならなければなりません。
【課題を解決する為の手段】
【０００５】
本項案は、介護を必要とされ立つ事が困難で車椅子を使用される方の為に、トイレ機能付き車椅子通常用中央座部と、トイレ用の交換と車椅子使用時のズボン・下着などを着脱する時の課題を解決しました。
介護を必要とされ立つ事が困難で、車椅子トイレ機能付きを使用される時、使用される前
後に立たなくてもスムーズにトイレが出来るようにするためには、座部と中央座部を離脱させ上下出来るようにします。まず座部を上げ通常用中央座部を離脱させると通常用中央座部とトイレ用座部を交換する時、体に当たる事がなく交換する事が出来ます。
【０００６】
車椅子に座ったまま着脱する時は、車椅子座部と通常用中央座部を前後または左右を上下に段差を付けることにより介護者が介助をする為に、必要とする着脱する服と介助をする為の手が入るスペースを確保することが出来ます。
【０００７】
車椅子座部と通常用中央座部を前後、左右斜めにした時、体は前後斜めのときも介護者が支えながら調節して介助する為のスペースを確保します、左右の時は調節して介護者と車椅子左右の手置き部分に向きと体を寄せ介護を必要とする方を着脱介助する為のスペースを確保する事ができます。(調節してべルト着用可能、ベルトは横・斜・クロスを付けても可能です)
【考案の効果】
【０００８】
介護を必要とされ車椅子から立つ事が困難な方が、車椅子のトイレ機能付きを使用される前後もまったく立たずに使用する事が出来、スライド式において段が入ったままの座部ではなく、段差がないように合わせることが出来る。座部を上下出来、通常用中央座部が体に当たらず車椅子後方部から交換が出来ます。車椅子に座ったまま車椅子座部と通常用中央座部が上下出来、介助するためのスペースを確保出来る事によりズボン下着など着脱が車椅子に座ったまま容易に出来るようになります。
(通常用中央ザブと座部の高さがが上下出来、高さを調節出来る為トイレ使用時オマル簡易便器が無い時は、車椅子の後ろから座部と通常用中央ザブの高さを上下して合わせる事もできるので、ポータブルトイレなどを合わせて使うことも可能です。)
【図面の簡単な説明】
【０００９】
【図１】通常用車椅子前後切り換え図
【図２】通常用車椅子左右切り換え図
【図３】車椅子トイレ使用時横から見た図
【図４】車椅子座部と通常用中央座部の図
【図５】車椅子通常用中央座部入れ換え図
【図６】車椅子通常用中央座部とトイレ用を入れ換えるために座部部分を上げた図
【図７】車椅子トイレ用座部入れ換かえ図
【図８】車椅子トイレ用座部図
【図９】座部前後上下に段差を入れた図
【図１０】座部前後上下に段差を入れ介護者が介助を必要とする方の着脱のための手が入るスペースを確保する事が出来るようにした横から見た図
【図１１】座部左右上下に段差を入れる事ができる通常用座部の図です。
【図１２】座部左側を上げて段差を入れ介護者が介助を必要とする方の着脱介助をすることが出来るためのスペースを確保することが出来るようにした図
【図１３】座部部分右側を上げて段差を入れ介護者が着脱介助をすることが出来るための  スペースを確保する事が出来るようにした図
【図１４】通常用中央座部(５)とトイレ用を介護者が交換する時、介助を必要とされる方の体に触れないように、交換出来るようにする為に座部(６)を上げ (１５)を交換する事が出来るようにした図
【図１５】座部を前後斜めにして、介護者の着脱介助のための手が入るスペースを確保する事が出来るようにした図
【図１６】座部を左右斜めにして、介護者の着脱介助のための手が入るスペースを確保する事が出来るようにした図
【考案を実施するための形態】
【実施例】
【００１０】
図１は、通常用車椅子座部、前後切り換え用の車椅子の図です。１は、脚部です２は、６を自動で上下(斜め)にする為の脚部(縦に備える事も出来ます。)３は、５を自動で上下する為の脚部(縦に備える事も出来ます)４は、ガイドレール、通常用中央座部とオマル(簡易便器)を交換して備えます。５は、ガイドレールを支える部分６は、座部７は、モーター{座部６とガイドレールを支える部分５を、上下(斜め)自動で動かす為のモーター機械部分は、自動でも手動でも出来ます。}８は、肘置き９は、足置き１０は、足置き背部分１１は、背もたれ部１２は、介護者用ハンドル１４は、車輪１５は、通常用中央座部１６落とさず、離れず、上下出来る為の車椅子
【００１１】
図２は、通常用車椅子座部左右切り換え用の車椅子の図
【００１２】
図３は、車椅子トイレ使用横から見た図、１３は、オマル(簡易便器)
【００１３】
図４は、車椅子通常用座部部分と１５は、通常用中央座部部分の断面図、通常用中央座部も前後、左右にも６と同じく段を入れる事が出来ます。１６通常用中央座部に段差を付ける事が出来る段差対応レールです。(強度を強くする為に幅や大きさ厚み奥行などを調節する事も出来ます。)
【００１４】
図５は、通常用中央座部入換え図、５は、ガイドレールを支える部分４はガイドレール１５は、通常用中央座部１６は、段差対応レールです。
【００１５】
図６は、通常用中央座部を交換する時の断面図、座部６を上下して、体に当たらないように離脱させてトイレ用と交換が終わったら座部と高さと位置を合わせる事が出来ます
【００１６】
図７は、車椅子トイレ用座部入換え図
【００１７】
図８は、車椅子トイレ用座部オマルを(簡易便器) 備えた図
【００１８】
図９は、座部前後上下に段差を入れた図
【００１９】
図１０は、前後上下に段差を入れ介護者が介助を必要とされる方のために着脱介助をする事が出来るための手が入り着脱介助が出来る為のスペースを確保しまた。
【００２０】
図１１は、座部左右上下に段差を入れる事ができる通常用座部の図です。左右上下に段差を入れて介護者が介助を必要とされる方のための、着脱介助が出来る為のスペースを確保しました。
【００２１】
図１２は、座部左側を上げて段差を入れ介護者が着脱介助をすることが出来るためのスペースを確保することが可能になった図１２は体位を左側に寄せ左側の座部部分を上げ介護者の着脱介助のための手が入るスペースが出来ます。
【００２２】
図１３は、座部部分右側を上げて段差を入れ介護者が着脱介助をすることが出来るための
スペースを可能にした図１３は体位を右側に寄せ右側の座部部分を上げ介護者の着脱介助のための手が入るスペースが出来ます。
【００２３】
図１４は、座部を上げ(６)通常用中央座部とトイレ用を体に触れずに入れ換えが出来る。
２と３の位置は中をくり抜き備えたり前後、左右に配置する事も出来ます。
自動で前後、上下、左右、斜めに動かす事が出来ます。自動で動かす事が出来ます。(手動でも上、下出来ます。)
【００２４】
図１５は、座部を前後斜めにして、介護者の着脱介助のための手が入るスペースを確保しました。
【００２５】
図１６は、座部を左右斜めにして、介護者の着脱介助のための手が入るスペースを確保しました。
【符号の説明】
【００２６】
１． 脚部
２．(６)を自動で上下(斜め)にする為の脚部
３．(５)を自動で上下する為の脚部
４．ガイドレール
５．ガイドレールを支える部分
６．座部
７．モーター{座部と通常用中央座部、前後・左右・上下と(斜め前後・左右)に自動で動かす為のモーター・機械部分} 
８．肘置き
９．足置き
１０．足置き背部分
１１．背もたれ部
１２．介護者用ハンドル
１３．オマル(簡易便器)
１４．車輪
１５．通常用中央座部 
１６．段差対応レール 
【図１】
0003188085.tif 000003
【図２】
0003188085.tif 000004
【図３】
0003188085.tif 000005
【図４】
0003188085.tif 000006
【図５】
0003188085.tif 000007
【図６】
0003188085.tif 000008
【図７】
0003188085.tif 000009
【図８】
0003188085.tif 000010
【図９】
0003188085.tif 000011
【図１０】
0003188085.tif 000012
【図１１】
0003188085.tif 000013
【図１２】
0003188085.tif 000014
【図１３】
0003188085.tif 000015
【図１４】
0003188085.tif 000016
【図１５】
0003188085.tif 000017
【図１６】
0003188085.tif 000018
【手続補正書】
【提出日】平成25年6月24日(2013.6.24)
【手続補正１】
【補正対象書類名】明細書
【補正対象項目名】０００８
【補正方法】変更
【補正の内容】
【０００８】
介護を必要とされ車椅子から立つ事が困難な方が、車椅子のトイレ付を使用される前後もまったく立たずに使用する事が出来、スライド式において段が入ったままの座部ではなく、段差がないように合わせる事が出来る。座部を上下出来、通常用中央座部が体に当たらず移動介助車椅子後方部から交換が出来ます。移動介助車椅子に座ったまま移動介助車椅子座部と通常用中央座部が上下出来、介助する為のスペースを確保出来る事によりズボン下着など着脱が移動介助車椅子に座ったまま容易に出来るようになります。(通常用通常座部と座部の高さが上下出来、高さを調節出来る為トイレ使用時オマル簡易便器が無い時は、移動介助車椅子の後ろから座部と通常用中央座部の高さを上下して合わせる事も出来るので、ポータブルトイレなどを合わせて使うことも可能です。)
【手続補正２】
【補正対象書類名】明細書
【補正対象項目名】０００９
【補正方法】変更
【補正の内容】
【０００９】
【図１】通常用移動介助車椅子前後切り換え図
【図２】通常用移動介助車椅子左右切り換え図
【図３】移動介助車椅子トイレ使用時横から見た図
【図４】移動介助車椅子座部と通常用中央座部の図
【図５】移動介助車椅子通常用中央座部入れ換え図
【図６】移動介助車椅子通常用中央座部とトイレ用を入れ換えるために座部部分を上げた図
【図７】移動介助車椅子トイレ用座部入れ換かえ図
【図８】移動介助車椅子トイレ用座部図
【図９】座部前後上下に段差を入れた図
【図１０】座部前後上下に段差を入れ介護者が介助を必要とする方の着脱のための手が入るスペースを確保する事が出来るようにした横から見た図
【図１１】座部左右上下に段差を入れる事ができる通常用座部の図です。
【図１２】座部左側を上げて段差を入れ介護者が介助を必要とする方の着脱介助をすることが出来るためのスペースを確保することが出来るようにした図
【図１３】座部部分右側を上げて段差を入れ介護者が着脱介助をすることが出来るための  スペースを確保する事が出来るようにした図
【図１４】通常用中央座部(５)とトイレ用を介護者が交換する時、介助を必要とされる方の体に触れないように、交換出来るようにする為に座部(６)を上げ (１５)を交換する事が出来るようにした図
【図１５】座部を前後斜めにして、介護者の着脱介助のための手が入るスペースを確保する事が出来るようにした図
【図１６】座部を左右斜めにして、介護者の着脱介助のための手が入るスペースを確保する事が出来るようにした図
【手続補正３】
【補正対象書類名】明細書
【補正対象項目名】００１０
【補正方法】変更
【補正の内容】
【００１０】
図１は、通常用移動介助車椅子座部、前後切り換え用の移動介助車椅子の図です。１は、脚部です２は、６を自動で上下(斜め)にする為の脚部(縦に備える事も出来ます。)３は、５を自動で上下する為の脚部(縦に備える事も出来ます)４は、ガイドレール、通常用中央座部とオマル(簡易便器)を交換して備えます。５は、ガイドレールを支える部分６は、座部７は、モーター{座部６とガイドレールを支える部分５を、上下(斜め)にモーターを回転させて出来、角度なども調節設定出来ます。自動で動かす為のモーター機械部分は、自動でも手動でも出来ます。}８は、肘置き９は、足置き１０は、足置き背部分１１は、背もたれ部１２は、介護者用ハンドル１４は、車輪１５は、通常用中央座部１６は、落とさず、離れず、上下出来る為の段差対応レール
【手続補正４】
【補正対象書類名】明細書
【補正対象項目名】００１１
【補正方法】変更
【補正の内容】
【００１１】
図２は、通常用移動介助車椅子座部左右切り換え用の車椅子の図
【手続補正５】
【補正対象書類名】明細書
【補正対象項目名】００１２
【補正方法】変更
【補正の内容】
【００１２】
図３は、移動介助車椅子トイレ使用横から見た図、１３は、オマル(簡易便器)
【手続補正６】
【補正対象書類名】明細書
【補正対象項目名】００１３
【補正方法】変更
【補正の内容】
【００１３】
図４は、移動介助車椅子通常用座部部分と１５は、通常用中央座部部分の断面図、通常用中央座部も前後、左右にも６と同じく段を入れる事が出来ます。１６通常用中央座部に段差を付ける事が出来る段差対応レールです。(強度を強くする為に幅や大きさ厚み奥行などを調節する事も出来ます。)
【手続補正７】
【補正対象書類名】明細書
【補正対象項目名】００１６
【補正方法】変更
【補正の内容】
【００１６】
図７は、移動介助車椅子トイレ用座部入換え図
【手続補正８】
【補正対象書類名】明細書
【補正対象項目名】００１７
【補正方法】変更
【補正の内容】
【００１７】
図８は、移動介助車椅子トイレ用座部オマルを(簡易便器) 備えた図
【手続補正９】
【補正対象書類名】図面
【補正対象項目名】図１
【補正方法】変更
【補正の内容】
【図１】
0003188085.tif 000019
【手続補正１０】
【補正対象書類名】図面
【補正対象項目名】図２
【補正方法】変更
【補正の内容】
【図２】
0003188085.tif 000020
【手続補正１１】
【補正対象書類名】図面
【補正対象項目名】図３
【補正方法】変更
【補正の内容】
【図３】
0003188085.tif 000021
【手続補正１２】
【補正対象書類名】図面
【補正対象項目名】図４
【補正方法】変更
【補正の内容】
【図４】
0003188085.tif 000022
【手続補正１３】
【補正対象書類名】図面
【補正対象項目名】図１０
【補正方法】変更
【補正の内容】
【図１０】
0003188085.tif 000023
【手続補正１４】
【補正対象書類名】図面
【補正対象項目名】図１４
【補正方法】変更
【補正の内容】
【図１４】
0003188085.tif 000024
【手続補正１５】
【補正対象書類名】図面
【補正対象項目名】図１５
【補正方法】変更
【補正の内容】
【図１５】
0003188085.tif 000025
【手続補正書】
【提出日】平成25年8月1日(2013.8.1)
【手続補正１】
【補正対象書類名】実用新案登録請求の範囲
【補正対象項目名】全文
【補正方法】変更
【補正の内容】
【実用新案登録請求の範囲】
【請求項１】
移動介助車椅子であって椅子の座面は、その外周部を構成する座部と中央座部からなり前記座部は、高さが調節可能とされていることを特徴とする移動介助車椅子。
【請求項２】
前記座部は前後方向または左右方向において、傾斜または段を付ける事を特徴とする請求項１記載の移動介助車椅子。
【請求項３】
移動介助車椅子において通常用中央座部は、前後方向または左右方向において、傾斜または段を付け傾斜または段によって区分された中央座部をつなぎとめておく為の段差対応レールを備えることを特徴とした請求項１記載の移動介助車椅子。